(57)【要約】【課題】簡易な構成により、廊下等に設置された障害物との衝突時における開閉扉の変形・破損を効果的に抑制することが可能な食品搬送車およびこれに取り付けられる保護カバーを提供する。【解決手段】配膳車１０は、本体部１１、走行輪１２、開閉扉１３、保護カバー１４，１５を備えている。本体部１１は、内部に内部空間１１ａを形成する。開閉扉１３は、本体部１１内に形成される内部空間１１ａと外部空間とを遮蔽または開放するために開閉可能であって、窓部１３ｂと、窓部１３ｂの四方を取り囲むように配置されたフレーム部材１３ｃと、を有する。保護カバー１４，１５は、フレーム部材１３ｃを覆うように装着される平面部１４ａ，１５ａと、平面部１４ａ，１５ａに連結されておりフレーム部材１３ｃにおける側面に対して取り付けられる第１屈曲部１４ｂ，１５ｂ（固定穴１４ｄ，１５ｄ）と、を有する。【選択図】図５
2018050870.tif 000002
【特許請求の範囲】
【請求項１】
内部空間に食品を収納し、搬送路上を走行して食品を搬送する食品搬送車であって、
内部に前記内部空間を形成する本体部と、
前記本体部の下部に配置され、前記搬送路上を走行するための走行輪と、
前記本体部内に形成される前記内部空間と外部空間とを遮蔽または開放するために開閉可能であって、窓部と、前記窓部の四方を取り囲むように配置されたフレーム部材と、を有する開閉扉と、
前記フレーム部材の少なくとも一部を覆うように装着される平面部と、前記平面部に連結されており前記フレーム部材における側面に対して取り付けられる固定部と、を有する保護カバーと、
を備えている食品搬送車。
【請求項２】
前記本体部の側面に複数の前記開閉扉を備えており、
互いに隣接する前記フレーム部材の間には、前記保護カバーが固定される隙間が形成されている、
請求項１に記載の食品搬送車。
【請求項３】
前記保護カバーは、前記搬送路の側方に設置された手摺りの高さ位置に対応する高さ位置に取り付けられている、
請求項１または２に記載の食品搬送車。
【請求項４】
前記保護カバーは、長手方向における中心位置を、前記手摺りの高さ位置に合わせて取り付けられている、
請求項３に記載の食品搬送車。
【請求項５】
前記保護カバーの取付位置を調整する調整機構を、さらに備えている、
請求項１から４のいずれか１項に記載の食品搬送車。
【請求項６】
前記調整機構は、前記フレーム部材に対して前記保護カバーを固定するための固定具と、前記保護カバーに形成され前記固定具が挿入される長穴または複数の穴とを含む、
請求項５に記載の食品搬送車。
【請求項７】
前記保護カバーは、長手方向に交差する方向の断面視において、前記平面部と、前記平面部における第１端部側を前記内部空間側に屈曲させた第１屈曲部と、前記第１端部とは反対側の第２端部側を前記内部空間側に屈曲させた第２屈曲部と、を有している、
請求項１から６のいずれか１項に記載の食品搬送車。
【請求項８】
前記第１屈曲部は、前記断面視において前記平面部に対して略直角に屈曲しているとともに、
前記第２屈曲部は、前記断面視において前記平面部に対して９０度より大きく１８０度未満の角度で屈曲している、
請求項７に記載の食品搬送車。
【請求項９】
前記第２屈曲部は、前記窓部側に配置されている、
請求項８に記載の食品搬送車。
【請求項１０】
前記窓部は、耐衝撃性を有する樹脂によって形成されている、
請求項１から９のいずれか１項に記載の食品搬送車。
【請求項１１】
前記フレーム部材は、前記開閉扉を開閉する際に使用者の手が挿入される凹部を有しており、
前記保護カバーは、前記凹部を覆うように取り付けられている、
請求項１から１０のいずれか１項に記載の食品搬送車。
【請求項１２】
前記開閉扉は、略鉛直方向に沿って配置された回転軸を有しており、前記回転軸を中心にして１８０度以上開閉可能である、
請求項１から１１のいずれか１項に記載の食品搬送車。
【請求項１３】
前記本体部の側面に設けられており、前記搬送路上を走行する際に使用者によって把持されて走行操作される操作ハンドルを、さらに備えており、
前記保護カバーは、長手方向において、前記操作ハンドルが設置された高さ位置を含む高さ位置に配置されている、
請求項１から１２のいずれか１項に記載の食品搬送車。
【請求項１４】
前記保護カバーは、表面に滑り加工が施されている、
請求項１から１３のいずれか１項に記載の食品搬送車。
【請求項１５】
前記保護カバーは、表面が弾性体によって覆われている、
請求項１から１４のいずれか１項に記載の食品搬送車。
【請求項１６】
内部空間に食品を収納し搬送路上において移動して食品を搬送するとともに、内部に前記内部空間を形成する本体部と、前記本体部の下部に配置され搬送路上を走行するための走行輪と、前記本体部内に形成される前記内部空間と外部空間とを遮蔽または開放するために開閉可能であって窓部と前記窓部の四方を取り囲むように配置されたフレーム部材と、を有する開閉扉と、を備えた食品搬送車に装着される保護カバーであって、
前記フレーム部材の少なくとも一部を覆うように装着される平面部と、
前記平面部と連結されており前記フレーム部材における側面に対して取り付けられる固定部と、
を備えている保護カバー。
【発明の詳細な説明】
【技術分野】
【０００１】
本発明は、例えば、病院内において食事の提供の際に用いられる食品搬送車およびこれに取り付けられる保護カバーに関する。
【背景技術】
【０００２】
病院、老人保健施設、ホテル、学校等の施設において、患者や入居者等に対して食事を提供するための配膳車や再加熱カート等の食品搬送車が用いられている。
食品搬送車は、開閉扉の扉フレームに窓パッキンを介して二重に窓材（庫外側窓材、庫内側窓材）が取り付けられている。そして、扉フレームには、手動開閉用の凹部が鉛直方向に亘って形成されている。これにより、この凹部に手（指先）を入れて引っ掛けて扉を開閉することができる。
【０００３】
一般的に、このような食品搬送車が使用される病院内の廊下・エレベータには、患者の歩行を補助するための手摺りが設置されている。このため、食品搬送車が廊下等の角を曲がる際に、前後の走行用車輪の内輪差等に起因して、壁面から突出している手摺りに対して食品搬送車の開閉扉を接触させてしまい、開閉扉の扉フレームを傷つけてしまうおそれがある。
【０００４】
例えば、特許文献１には、各開閉扉の窓材取付フレームの所定の位置に開閉扉を開閉する際に使用される扉取手が取り付けられた移動配膳車について開示されている。
また、特許文献２には、配膳車の高さ方向における開閉扉をカバーしうる範囲において、その直進方向における側面の前後方向に障害物センサ（赤外線センサ含む）を配置して、視覚的または聴覚的手段を用いて警報を出力する配膳車について開示されている。
【先行技術文献】
【特許文献】
【０００５】
【特許文献１】実開平６−８５６４４号公報
【特許文献２】特開２０１１−６７３９８号公報
【発明の概要】
【発明が解決しようとする課題】
【０００６】
しかしながら、上記従来の食品搬送車では、以下に示すような問題点を有している。
すなわち、上記特許文献１に開示された移動配膳車では、開閉扉に取り付けられた扉取手が開閉扉を保護するカバーとして機能する余地はあるものの、廊下等に設置された手摺りとの接触に関して一切考慮されていない。
また、特許文献２に開示された配膳車では、センサを用いて手摺り等の障害物に接触する前に警報を発することができるものの、センサ等を設置するためのコストが増大するおそれがある。
【０００７】
本発明の課題は、簡易な構成により、廊下に設置された手摺り等の障害物との衝突時における開閉扉の変形・破損を効果的に抑制することが可能な食品搬送車およびこれに取り付けられる保護カバーを提供することにある。
【課題を解決するための手段】
【０００８】
第１の発明に係る食品搬送車は、内部空間に食品を収納し、搬送路上を走行して食品を搬送する食品搬送車であって、本体部と、走行輪と、開閉扉と、保護カバーと、を備えている。本体部は、内部に内部空間を形成する。走行輪は、本体部の下部に配置され、搬送路上を走行するために設けられている。開閉扉は、本体部内に形成される内部空間と外部空間とを遮蔽または開放するために開閉可能であって、窓部と、窓部の四方を取り囲むように配置されたフレーム部材と、を有する。保護カバーは、フレーム部材の少なくとも一部を覆うように装着される平面部と、平面部に連結されておりフレーム部材における側面に対して取り付けられる固定部と、を有する。
【０００９】
ここでは、例えば、病院や高齢者介護施設等において搬送路上を走行して内部空間に収納した食品を搬送する食品搬送車において、フレーム部材の少なくとも一部を覆うための保護カバーが、固定部においてフレーム部材の側面に対して固定されている。
ここで、保護カバーが取り付けられるフレーム部材の側面とは、開閉扉の正面視におけるフレーム部材の側面（開閉扉の側面視における上面または左右の面）を意味している。すなわち、保護カバーは、開閉扉における走行時における手摺り等の障害物に接触する外部空間に面するフレーム部材の表面ではなく、その側面に対して固定されている。
【００１０】
なお、フレーム部材に対する保護カバーの固定方法としては、例えば、ネジ、ボルト、弾性変形を利用した固定具等、各種方法を用いることができる。
また、搬送路上を走行中の障害物として廊下等に設置された手摺りを想定する場合には、設置された手摺りの高さ位置に対応する位置に、保護カバーが取り付けられていることが望ましい。
【００１１】
これにより、食品搬送車が搬送路上を走行中に手摺り等の障害物と接触した場合でも、保護カバーはフレーム部材の側面に固定されているため、開閉扉の表面にはネジ等の固定具は設けられていない。よって、保護カバーに衝突した障害物がネジ等の固定具に接触することを防止して、保護カバーの平面部によって覆われた開閉扉の部分を保護することができる。
【００１２】
この結果、廊下等に設置された障害物との衝突時における開閉扉の変形・破損を効果的に抑制することができる。
第２の発明に係る食品搬送車は、第１の発明に係る食品搬送車であって、本体部の側面に複数の開閉扉を備えており、互いに隣接するフレーム部材の間には、保護カバーが固定される隙間が形成されている。
【００１３】
ここでは、本体部の少なくとも一方の側面に複数の開閉扉が設けられた食品搬送車において、隣接配置されたフレーム部材同士の間には、隙間が形成されている。
ここで、フレーム部材同士の間に形成された隙間は、開閉扉を閉じた状態、開けた状態の双方において形成されている。
これにより、開閉扉のフレーム部材に対して保護カバーを固定するための空間を確保することができる。よって、保護カバーを固定する際には、フレーム部材間に形成された隙間からネジやボルト、その他の固定具等を挿入して、フレーム部材に対して保護カバーを固定することができる。
【００１４】
また、開閉扉の開閉状態に関わらず常に隙間が形成されていることで、保護カバーの装着、位置調整等を行うことができる。
第３の発明に係る食品搬送車は、第１または第２の発明に係る食品搬送車であって、保護カバーは、搬送路の側方に設置された手摺りの高さ位置に対応する高さ位置に取り付けられている。
【００１５】
ここでは、保護カバーの高さ方向における設置位置を、食品搬送車が走行する搬送路の側方に設置された手摺りの高さ位置を基準にして設定している。
ここで、搬送路の側方に設置された手摺りは、搬送路の側方の壁面に設置されていてもよいし、搬送路の側方における端部に設置されていてもよい。
これにより、例えば、搬送路を走行中の食品搬送車がコーナーを曲がろうとした際に、搬送路の側方に設置された手摺りに開閉扉が接触した場合でも、手摺りの高さ位置には保護カバーが設置されているため、保護カバーによって開閉扉を保護することができる。
【００１６】
第４の発明に係る食品搬送車は、第３の発明に係る食品搬送車であって、保護カバーは、長手方向における中心位置を、手摺りの高さ位置に合わせて取り付けられている。
ここでは、保護カバーの高さ方向における設置位置を、食品搬送車が走行する搬送路の側方に設置された手摺りの高さ位置が中心となるように設定している。
これにより、例えば、搬送路を走行中の食品搬送車がコーナーを曲がろうとした際に、搬送路の側方に設置された手摺りに開閉扉が接触した場合でも、保護カバーは手摺りの高さ位置を中心にして設置されているため、保護カバーによって開閉扉を確実に保護することができる。
【００１７】
第５の発明に係る食品搬送車は、第１から第４の発明のいずれか１つに係る食品搬送車であって、保護カバーの取付位置を調整する調整機構を、さらに備えている。
ここでは、開閉扉のフレーム部材を保護する保護カバーのフレーム部材に対する取付位置を調整するための調整機構を設けている。
これにより、例えば、食品搬送車が設置される施設ごとに異なる手摺りの位置等に対応して、保護カバーの取付位置を調整することができる。
【００１８】
第６の発明に係る食品搬送車は、第５の発明に係る食品搬送車であって、調整機構は、フレーム部材に対して保護カバーを固定するための固定具と、保護カバーに形成され固定具が挿入される長穴または複数の穴とを含む。
ここでは、調整機構が、例えば、ネジ等の固定具と、保護カバーにおいて調整方向に沿って形成された長穴、あるいは複数の穴と、を有している。
【００１９】
ここで、調整機構による調整方向は、食品搬送車が接触するおそれがある障害物の態様等に応じて、例えば、略鉛直方向、略水平方向、あるいは、鉛直方向に交差する方向のいずれかに設定されていてもよい。
これにより、例えば、保護カバー側に調整方向に沿って形成された長穴、あるいは複数の穴を介して、フレーム部材に形成されたネジ穴にネジを挿嵌することで、フレーム部材に対する保護カバーの取付位置を調整することができる。
【００２０】
第７の発明に係る食品搬送車は、第１から第６の発明のいずれか１つに係る食品搬送車であって、保護カバーは、長手方向に交差する方向の断面視において、フレーム部材の表面部分を覆う平面部と、平面部における第１端部側を内部空間側に屈曲させた第１屈曲部と、第１端部とは反対側の第２端部側を内部空間側に屈曲させた第２屈曲部と、を有している。
【００２１】
ここでは、保護カバーが、長手方向に交差する断面視において、中央に配置された平面部と、平面部における一方の端部（第１端部）側に形成された第１屈曲部と、平面部における他方の端部（第２端部）側に形成された第２屈曲部と、を有している。そして、第１・第２屈曲部は、平面部に対して、食品搬送車の本体部の内部空間側へ屈曲されている。
これにより、窓部の四方を取り囲むように配置されたフレーム部材の少なくとも一部を、平面部および第１・第２屈曲部を含む保護カバーによって覆うことができる。よって、食品搬送車が走行中に手摺り等に接触した場合でも、保護カバーによって、開閉扉のフレーム部材を効果的に保護することができる。
【００２２】
第８の発明に係る食品搬送車は、第７の発明に係る食品搬送車であって、第１屈曲部は、断面視において平面部に対して略直角に屈曲している。第２屈曲部は、断面視において平面部に対して９０度より大きく１８０度未満の角度で屈曲している。
ここでは、上述した保護カバーの構造において、第１屈曲部を平面部に対して略直角に屈曲させるとともに、第２屈曲部を平面部に対して鈍角になる角度で屈曲させる。
【００２３】
これにより、例えば、互いに隣接する複数の開閉扉において、間隔が小さい側に第１屈曲部を、間隔が大きい側に第２屈曲部を配置することができる。よって、手摺り等が接触しやすい間隔が広い側に手摺り等の障害物が接触した場合でも、鈍角に屈曲された第２屈曲部が接触時に付与される外力を受けることで、内側のフレーム部材が変形等することを効果的に防止することができる。
【００２４】
第９の発明に係る食品搬送車は、第８の発明に係る食品搬送車であって、第２屈曲部は、窓部側に配置されている。
ここでは、平面部に対して鈍角に屈曲された第２屈曲部を、隣接するフレーム部材との間隔が広い窓部側に配置している。
これにより、フレーム部材間の間隔が大きい側に第２屈曲部を配置することができる。よって、手摺り等が接触しやすい間隔が広い側に手摺り等の障害物が接触した場合でも、鈍角に屈曲された第２屈曲部が接触時に付与される外力を受けることで、内側のフレーム部材が変形等することを効果的に防止することができる。
【００２５】
第１０の発明に係る食品搬送車は、第１から第９の発明のいずれか１つに係る食品搬送車であって、窓部は、耐衝撃性を有する樹脂によって形成されている。
ここでは、例えば、ポリカーボネート等の耐衝撃性を有する樹脂によって窓部を形成している。
ここで、窓部は、耐衝撃性に加えて、半透明あるいは透明性の高い樹脂によって形成されていてもよい。
【００２６】
これにより、食品搬送車の走行中に手摺り等の障害物が開閉扉に接触した場合でも、窓部が耐衝撃性に優れた樹脂によって形成されているため、窓部の変形や破損等を考慮する必要がない。この結果、窓部の四方を囲むように配置されたフレーム部材を保護カバーによって保護することで、手摺り等との接触に伴うフレーム部材の変形等を効果的に防止することができる。
【００２７】
第１１の発明に係る食品搬送車は、第１から第１０の発明のいずれか１つに係る食品搬送車であって、フレーム部材は、開閉扉を開閉する際に使用者の手が挿入される凹部を有している。保護カバーは、凹部を覆うように取り付けられている。
ここでは、保護カバーによって、フレーム部材における使用者の手が挿入される凹部が覆われている。
【００２８】
これにより、開閉扉を開閉する際に手が挿入される凹部は、手摺り等の障害物と接触する可能性がある位置において、保護カバーによって覆うことができる。
この結果、手摺り等の障害物が接触した際に、凹部内に手を入れた状態で障害物等に挟まれてしまうリスクを低減することができる。
第１２の発明に係る食品搬送車は、第１から第１１の発明のいずれか１つに係る食品搬送車であって、開閉扉は、略鉛直方向に沿って配置された回転軸を有しており、回転軸を中心にして１８０度以上開閉可能である。
【００２９】
ここでは、食品搬送車が、略鉛直方向に沿って配置された回転軸を中心にして１８０度以上の開度まで開閉可能な開閉扉を備えている。
これにより、例えば、トレイに載せた状態で収納された食品を内部空間から取り出す際に、開閉扉を１８０度以上開いた状態にできるため、食品を取り出しやすくすることができる。
【００３０】
また、例えば、複数の開閉窓を備えた食品搬送車において、互いに隣接するフレーム部材の間に隙間が設けられている場合には、１８０度の開度まで開く開閉扉の側面（フレーム部材の側面）に、保護カバーを容易に固定することができる。
第１３の発明に係る食品搬送車は、第１から第１２の発明のいずれか１つに係る食品搬送車であって、本体部の側面に設けられており、搬送路を走行する際に使用者によって把持されて走行操作される操作ハンドルを、さらに備えている。保護カバーは、長手方向において、操作ハンドルが設置された高さ位置を含む高さ位置に配置されている。
【００３１】
ここでは、保護カバーを、食品搬送車の走行操作を行う操作ハンドルの設置位置を基準にして設けている。
これにより、操作ハンドルが設置された高さ位置と同じ高さにおいて、食品搬送車が手摺り等の障害物と接触した場合でも、保護カバーによってフレーム部材を保護することができる。
【００３２】
第１４の発明に係る食品搬送車は、第１から第１３の発明のいずれか１つに係る食品搬送車であって、保護カバーは、表面に滑り加工が施されている。
ここでは、保護カバーの表面に、例えば、テフロン（登録商標）加工等の滑り加工を施している。
これにより、食品搬送車が走行中に手摺り等の障害物と接触した場合でも、保護カバーの表面加工によって滑り抵抗が小さくなっているため、手摺り等の障害物が保護カバーの表面を滑りやすくすることができる。この結果、手摺り等の障害物によって、保護カバーによって覆われたフレーム部材が変形等することを効果的に抑制することができる。
【００３３】
第１５の発明に係る食品搬送車は、第１から第１４の発明のいずれか１つに係る食品搬送車であって、保護カバーは、表面が弾性体によって覆われている。
ここでは、保護カバーの表面を、例えば、ゴム等の弾性体によって被覆している。
これにより、食品搬送車が走行中に手摺り等の障害物と接触した場合でも、保護カバーの表面が弾性体によって被覆されているため、手摺り等の障害物との接触によって保護カバーに対して付与される外力を吸収することができる。この結果、保護カバーによって覆われたフレーム部材が変形等することを効果的に抑制することができる。
【００３４】
第１６の発明に係る保護カバーは、内部空間に食品を収納し搬送路上において移動して食品を搬送する食品搬送車に装着される保護カバーである。食品搬送車は、本体部と、走行輪と、開閉扉と、を備えている。本体部は、内部に内部空間を形成する。走行輪は、本体部の下部に配置され、搬送路上を走行するために設けられている。開閉扉は、本体部内に形成される内部空間と外部空間とを遮蔽または開放するために開閉可能であって、窓部と、窓部の四方を取り囲むように配置されたフレーム部材と、を有する。そして、保護カバーは、平面部と、固定部と、を備えている。平面部は、フレーム部材の少なくとも一部を覆うように装着される。固定部は、平面部に連結されておりフレーム部材における側面に対して取り付けられる。
【００３５】
ここでは、例えば、病院や高齢者介護施設等において搬送路上を走行して内部空間に収納した食品を搬送する食品搬送車に装着される保護カバーが、固定部においてフレーム部材の側面に対して固定されている。
ここで、保護カバーが取り付けられるフレーム部材の側面とは、開閉扉の正面視におけるフレーム部材の側面を意味している。すなわち、保護カバーは、開閉扉における走行時における手摺り等の障害物に接触する外部空間に面するフレーム部材の表面ではなく、その側面に対して固定されている。
【００３６】
なお、フレーム部材に対する保護カバーの固定方法としては、例えば、ネジ、ボルト、弾性変形を利用した固定具等、各種方法を用いることができる。
また、搬送路上を走行中の障害物として廊下等に設置された手摺りを想定する場合には、設置された手摺りの高さ位置に対応する位置に、保護カバーが取り付けられていることが望ましい。
【００３７】
これにより、食品搬送車が搬送路上を走行中に手摺り等の障害物と接触した場合でも、保護カバーはフレーム部材の側面に固定されているため、開閉扉の表面にはネジ等の固定具は設けられていない。よって、保護カバーに衝突した障害物がネジ等の固定具に接触することを防止して、保護カバーの平面部によって覆われた開閉扉の部分を保護することができる。
【００３８】
この結果、廊下等に設置された障害物との衝突時における開閉扉の変形・破損を効果的に抑制することができる。
【発明の効果】
【００３９】
本発明に係る食品搬送車によれば、廊下等に設置された障害物との衝突時における開閉扉の変形・破損を効果的に抑制することができる
【図面の簡単な説明】
【００４０】
【図１】本発明の一実施形態に係る配膳車の全体構成を示す斜視図。
【図２】図１の配膳車の開閉扉を開けた状態を示す斜視図。
【図３】図１の配膳車の右側の開閉扉を開けた状態を示す正面図。
【図４】図１の配膳車の開閉扉を閉状態から１８０度の全開状態へ移行する過程を示す上面図。
【図５】図１の配膳車の左吊り手側の開閉扉の構成を示す斜視図。
【図６】図５の開閉扉の構成を示す断面図。
【図７】図１の配膳車の右吊り手側の開閉扉の構成を示す斜視図。
【図８】図７の開閉扉の構成を示す断面図。
【図９】（ａ）は、図５および図７の開閉扉に取り付けられる保護カバーの構成を示す平面図。（ｂ）はその側面図。（ｃ）はその断面図。
【図１０】（ａ）は、図５および図７の開閉扉の凹部側のフレーム部材に取り付けられる保護カバーの構成を示す平面図。（ｂ）はその側面図。（ｃ）はその断面図。
【図１１】本発明の他の実施形態に係る食品搬送車の開閉扉に取り付けられる保護カバーの調整機構の構成を示す斜視図。
【図１２】（ａ），（ｂ）は、本発明のさらに他の実施形態に係る食品搬送車の開閉扉に取り付けられる保護カバーの構成を示す斜視図。
【発明を実施するための形態】
【００４１】
本発明の一実施形態に係る配膳車（食品搬送車）１０について、図１〜図１０（ｃ）を用いて説明すれば以下の通りである。
本実施形態の配膳車１０は、例えば、病院等の施設においてトレイに載せられた食事を保温しながら搬送して患者等に提供するための食品搬送車であって、病院等の廊下（搬送面３１）の側方の壁面３０に設置された手摺り（障害物）３２（図３参照）との接触時に、非接触部位の変形や破損等が生じさせない構成を備えている。
【００４２】
具体的には、配膳車１０は、図１および図２に示すように、本体部１１と、４つの走行輪１２と、開閉扉１３と、保護カバー１４，１５と、操作ハンドル１６と、を備えている。
本体部１１は、配膳車１０の筐体部分を構成しており、内部に食品を乗せたトレイＴ（図３参照）が収納される内部空間１１ａを有している。内部空間１１ａは、開閉扉１３を閉じた状態では外部空間から遮断された状態となり、収納された食品を保温する。そして、内部空間１１ａは、開閉扉１３を開けた状態では、外部空間と連通して食品をトレイＴごと取り出すことができる。
【００４３】
走行輪１２は、水平方向に沿って配置された回転軸を中心に回転するタイヤであって、本体部１１の下部に４つ設けられており、操作ハンドル１６を把持した使用者が押し引きした際に、例えば、病院等の廊下（搬送路）上を搬送する。走行輪１２のうち、配膳車１０の前進後退方向における前方または後方の一対の２輪は、それぞれが本体部１１の底面に鉛直方向に沿って設けられた回転軸を中心に回転可能な状態で取り付けられており、進行方向を自由に変えられる自在輪となっている。これにより、曲がり角等で走行輪１２が水平方向において回転して操舵輪となることで、配膳車１０を右折、左折させることができる。
【００４４】
なお、４つの走行輪１２のうち、配膳車１０の前進後退方向における前方または後方の一対の走行輪をモータによって駆動される駆動輪とし、残り２つの走行輪を操舵輪としてもよい。この場合には、例えば、使用者が操作ハンドル１６を握ると駆動輪側の一対の走行輪１２が回転駆動され、配膳車１０を走行させるようにしてもよい。
ここで、配膳車１０は、操作ハンドル１６を操作する使用者から見て、正面に長い構造物となっている。このため、配膳車１０を曲がり角等で右折、左折させると、前輪側よりも後輪側が内側へ入り込む、いわゆる内輪差が生じる。よって、配膳車１０は、曲がり角の内側に配置された手摺り３２等の障害物へ接触してしまうおそれがある。
【００４５】
本実施形態の配膳車１０では、例えば、配膳車１０を曲がり角で右折、左折させる際に生じる内輪差に起因する手摺り３２等への接触時におけるダメージを最小限に抑制するために、後述する保護カバー１４，１５を設けている。なお、保護カバー１４，１５の詳細な構成については、後段にて詳述する。
開閉扉１３は、左右の２枚で一組の扉を構成しており、それぞれ後述する鉛直方向に沿って両端に配置されたそれぞれの回転軸１３ａを中心にして回転することで、観音開き方式で開閉される。本実施形態の配膳車１０では、正面視において、一方の面において、開閉扉１３を２枚一組として二組計４枚を配置している。つまり、配膳車１０では、反対側の面にも同様に、２枚一組として二組計４枚の開閉扉１３が配置されている。
【００４６】
ここで、計４枚の開閉扉１３を全て閉じた状態において、互いに隣接する開閉扉１３の間には、図４に示すように、隙間Ｓ１，Ｓ２が形成されている。具体的には、観音開き方式の開閉扉１３を構成する左右一組の開閉扉１３の間には隙間Ｓ１が、左右一組の開閉扉１３同士の間には隙間Ｓ２がそれぞれ形成されている。
これにより、後述する保護カバー１４，１５を取り付ける際には、この隙間Ｓ１，Ｓ２を利用して固定ネジ２１（図５，図７参照）を取り付け、開閉扉１３（フレーム部材１３ｃ）に対して保護カバー１４，１５を固定することができる。
【００４７】
また、開閉扉１３は、図４に示すように、鉛直方向に沿って配置された回転軸１３ａを中心にして回転することで開閉される。ここで、開閉扉１３の回転軸１３ａは、開閉扉１３の開閉空間側（内部空間１１ａとは反対側）寄りの位置に配置されている。これにより、開閉扉１３は、図４に示すように、全開位置Ｐ１から全閉位置Ｐ２まで、最大開度１８０度まで開くことができる。
【００４８】
なお、図４に示す４枚の開閉扉１３のうち、中央に配置された２枚の開閉扉１３については、９０度までしか開いていないが、一方の開閉扉１３を閉じた全閉位置Ｐ２では、他方の開閉扉１３は最大開度１８０度まで開くことができる。
図５および図６は、左吊り手側の開閉扉１３の構成、図７および図８は、右吊り手側の開閉扉１３の構成をそれぞれ示している。
【００４９】
さらに、開閉扉１３は、図５および図７に示すように、回転軸１３ａと、窓部１３ｂと、フレーム部材１３ｃと、ネジ穴１３ｄと、凹部１３ｅとを有している。
回転軸１３ａは、フレーム部材１３ｃの上下の端面にそれぞれ取り付けられた金具１３ｆを介して鉛直方向に沿って配置されている。
窓部１３ｂは、例えば、ポリカーボネート等の耐衝撃性の高い樹脂によって形成された半透明または透明な板状の部材であって、開閉扉１３の中央部分に配置されている。これにより、半透明または透明な窓部１３ｂを通して、内部空間１１ａ内に収納されたトレイＴ上の食品を目視で確認することができる。
【００５０】
また、本実施形態では、開閉扉１３の窓部１３ｂが、耐衝撃性に優れたポリカーボネート（ＰＣ）等の樹脂によって形成されている。このため、図３に示すように、病院の廊下等の搬送面３１を走行中の配膳車１０が、曲がり角等において壁面３０に設置された手摺り（障害物）３２に接触した場合でも、窓部１３ｂの部分において変形、破損等してしまうリスクを軽減することができる。
【００５１】
さらに、開閉扉１３は、図６および図８に示すように、空気層を介して２枚を重ねるように配置されている。これにより、開閉扉１３における断熱性能を向上させることができる。
フレーム部材１３ｃは、アルミニウムを用いた押し出し成形によって形成されており、窓部１３ｂの四方をより囲むように配置された４つの部材によって構成されている。具体的には、フレーム部材１３ｃは、鉛直方向に沿って配置された２本の部材と、水平方向に沿って配置された２本の部材とによって構成されている。そして、これらの４本の部材によって窓部１３ｂを取り囲むように配置することで、窓部１３ｂを支持している。
【００５２】
ネジ穴１３ｄは、図５および図７に示すように、フレーム部材１３ｃの側面に複数形成されており、固定ネジ２１が螺合することで、保護カバー１４，１５をフレーム部材１３ｃに固定することができる。
ここで、フレーム部材１３ｃの側面とは、図３に示す開閉扉１３の正面視における左右の側面を意味するものとする。
【００５３】
なお、図５および図７では、フレーム部材１３ｃの右側の端面に形成された複数のネジ穴１３ｄが示されているが、左側の端面にも同様に、複数のネジ穴１３ｄが形成されている。
これにより、例えば、図３に示す手摺り３２等の障害物の高さＨ１の位置に合わせて、固定ネジ２１を螺合させるネジ穴１３ｄを選択することで、鉛直方向における所望の位置に保護カバー１４，１５を取り付けることができる。
【００５４】
また、鉛直方向（長手方向）における大きさが異なる保護カバー１４，１５を取り付ける場合でも、固定ネジ２１を螺合させるネジ穴１３ｄを選択することで、どのような大きさの保護カバー１４，１５でも取り付けることができる。
凹部１３ｅは、図５および図７に示すように、フレーム部材１３ｃを構成する部材のうち、鉛直方向に沿って配置された部材に鉛直方向に沿って設けられており、開閉扉１３を開く際に使用者の手が挿入される取手部分として機能する。そして、凹部１３ｅは、図６および図８に示すように、手摺り３２（図３参照）等の障害物に対応する高さ位置の部分が、保護カバー１４によって覆われている。
【００５５】
これにより、使用者は、凹部１３ｅにおける手摺り３２（図３参照）等の障害物に対応する高さ位置の部分には、手を入れることができない。この結果、使用者が凹部１３ｅに手を入れた状態で、手摺り３２等の障害物と本体部１１との間に挟まれてしまうことを回避することができる。
保護カバー１４は、手摺り３２（図３参照）等の障害物と開閉扉１３との接触時における変形や破損等の損傷を抑制するために、開閉扉１３のフレーム部材１３ｃを構成する部材のうち、鉛直方向に沿って配置された部材に取り付けられている。そして、保護カバー１４は、鉛直方向に沿って配置されたフレーム部材１３ｃの２本の部材のうち、凹部１３ｅが設けられた吊り手側とは反対側の部材に取り付けられている。また、保護カバー１４は、図９（ａ）〜図９（ｃ）に示すように、アルミニウム等の平板状の板材の一部を曲げ加工して形成されており、平面部１４ａ、第１屈曲部（固定部）１４ｂ、第２屈曲部１４ｃ、および固定穴（固定部）１４ｄを有している。
【００５６】
ここで、保護カバー１４は、保護すべきフレーム部材１３ｃと同じアルミニウムを用いて形成されている。しかし、保護カバー１４は、基本的に、フレーム部材１３ｃよりも厚く形成されている。さらに、保護カバー１４は、アルミニウムの板材を曲げ加工することで形成されているため、押し出し成形されたフレーム部材１３ｃよりも強度が大きいという特性を有している。
【００５７】
平面部１４ａは、図６および図８に示すように、水平方向に沿った断面視において、フレーム部材１３ｃの凹部１３ｅを覆うように配置された平面部分であって、フレーム部材１３ｃの正面部分の一部に対して密着するように固定されている。
第１屈曲部（固定部）１４ｂは、図９（ａ）〜図９（ｃ）に示すように、水平方向に沿った断面視において、平面部１４ａの端部の角度α１を略９０度に屈曲するように曲げ加工されている。そして、第１屈曲部１４ｂは、図６および図８に示すように、開閉扉１３を構成するフレーム部材１３ｃの外側の側面に対して密着するように配置されている。さらに、第１屈曲部１４ｂには、図９（ｂ）に示すように、鉛直方向に沿って配置された複数（４つ）の固定穴１４ｄが形成されている。
【００５８】
第２屈曲部１４ｃは、図９（ａ）〜図９（ｃ）に示すように、水平方向に沿った断面視において、平面部１４ａの端部の角度β１を約１２０度に屈曲するように曲げ加工されている。この角度β１は、９０度より大きく１８０度未満とすることが可能である。そして、第２屈曲部１４ｃは、図６および図８に示すように、フレーム部材１３ｃの内側の側面に対して隙間を開けた状態で配置されている。
【００５９】
ここで、第２屈曲部１４ｃは、第１屈曲部１４ｂ側と比較して、開けた空間に配置されている。つまり、第１屈曲部１４ｂは、図３等に示すように、隣接する部材が近接配置されている。よって、配膳車１０が手摺り３２等の障害物と接触した場合において、手摺り３２等が第１屈曲部１４ｂ側に接触することはほとんどなく、窓部１３ｂ、あるいは第２屈曲部１４ｃ側へ接触することが想定される。
【００６０】
そこで、本実施形態の配膳車１０では、手摺り３２等の障害物が接触する可能性がある第２屈曲部１４ｃを、保護カバー１４による保護対象であるフレーム部材１３ｃと隙間を空けた状態で配置している。
これにより、手摺り３２等の障害物が、直接的にあるいは窓部１３ｂに接触し窓部１３ｂの表面を滑って、第２屈曲部１４ｃに接触した場合でも、第２屈曲部１４ｃが受けた外力が内側のフレーム部材１３ｃに直接伝わることを防いだり、第２屈曲部１４ｃが撓んだり変形することによって衝突のエネルギーを吸収したりして、フレーム部材１３ｃへのダメージを軽減することができる。また、第２屈曲部１４ｃの傾斜面によって、手摺り３２等の障害物から付与された外力は、傾斜面に垂直な方向と傾斜面に沿った方向とに分散され、第２屈曲部１４ｃを撓ませたり変形させたりする力を小さくすることができる。
【００６１】
なお、窓部１３ｂについては、上述したように、耐衝撃性に優れたポリカーボネート等の樹脂素材によって形成されているため、手摺り３２等の障害物との接触による損傷は考慮する必要がないものとする。
固定穴（固定部）１４ｄは、図９（ｂ）に示すように、第１屈曲部１４ｂの面に対して垂直に形成された貫通穴であって、固定ネジ２１が挿入される。そして、固定ネジ２１が、図５および図７に示すように、固定穴１４ｄに挿入された状態で、フレーム部材１３ｃの側面に形成されたネジ穴１３ｄに螺合することで、保護カバー１４がフレーム部材１３ｃに対して固定される。
【００６２】
保護カバー１５は、保護カバー１４と同様に、手摺り３２（図３参照）等の障害物と開閉扉１３との接触時における損傷を抑制するために、開閉扉１３のフレーム部材１３ｃを構成する部材のうち、鉛直方向に沿って配置された部材に取り付けられている。そして、保護カバー１５は、鉛直方向に沿って配置されたフレーム部材１３ｃの２本の部材のうち、回転軸１３ａが設けられた吊り手側の部材に取り付けられている。また、保護カバー１５は、図１０（ａ）〜図１０（ｃ）に示すように、アルミニウム等の平板状の板材の一部を曲げ加工して形成されており、平面部１５ａ、第１屈曲部（固定部）１５ｂ、第２屈曲部１５ｃ、および固定穴（固定部）１５ｄを有している。
【００６３】
なお、開閉扉１３の吊り手側に設けられた保護カバー１５は、持ち手側（凹部１３ｅ側）に設けられた保護カバー１４と比較して、基本的な構成は共通している。しかし、水平方向における寸法（幅寸法）が小さく、平面部１５ａの部分が平面部１４ａよりも小さい面積となっている点で、両者は異なっている。
ここで、保護カバー１５は、保護カバー１４と同様に、保護すべきフレーム部材１３ｃと同じアルミニウムを用いて形成されており、基本的に、フレーム部材１３ｃよりも厚く形成されている。さらに、保護カバー１５は、アルミニウムの板材を曲げ加工することで形成されている。このため、保護カバー１５についても、保護カバー１４と同様に、押し出し成形されたフレーム部材１３ｃよりも強度が大きいという特性を有している。
【００６４】
平面部１５ａは、図６および図８に示すように、水平方向に沿った断面視において、フレーム部材１３ｃの正面部分を覆うように配置されている。そして、平面部１４ａと同様に、フレーム部材１３ｃの正面部分の一部に対して密着するように固定されている。
第１屈曲部（固定部）１５ｂは、図１０（ｃ）に示すように、水平方向に沿った断面視において、第１屈曲部１４ｂと同様に、平面部１５ａの端部の角度α２を略９０度に屈曲するように曲げ加工されている。そして、第１屈曲部１５ｂは、図６および図８に示すように、開閉扉１３を構成するフレーム部材１３ｃの外側の側面に対して密着するように配置されている。さらに、第１屈曲部１５ｂには、図１０（ｂ）に示すように、鉛直方向に沿って配置された複数（４つ）の固定穴１５ｄが形成されている。
【００６５】
第２屈曲部１５ｃは、図１０（ｃ）に示すように、水平方向に沿った断面視において、平面部１５ａの端部の角度β２を約１２０度に屈曲するように曲げ加工されている。この角度β２は、９０度より大きく１８０度未満とすることができる。そして、第２屈曲部１５ｃは、第２屈曲部１４ｃと同様に、図６および図８に示すように、フレーム部材１３ｃの内側の側面に対して隙間を開けた状態で配置されている。
【００６６】
ここで、第２屈曲部１５ｃは、第１屈曲部１５ｂ側と比較して、開けた空間に配置されている。つまり、第１屈曲部１５ｂは、図３等に示すように、隣接する部材が近接配置されている。よって、配膳車１０が手摺り３２等の障害物と接触した場合において、手摺り３２等が第１屈曲部１５ｂ側に接触することはほとんどなく、窓部１３ｂ、あるいは第２屈曲部１５ｃ側へ接触することが想定される。
【００６７】
そこで、本実施形態の配膳車１０では、手摺り３２等の障害物が接触する可能性がある第２屈曲部１５ｃを、保護カバー１５による保護対象であるフレーム部材１３ｃと隙間を空けた状態で配置している。
これにより、手摺り３２等の障害物が、直接的にあるいは窓部１３ｂに接触し窓部１３ｂの表面を滑って、第２屈曲部１５ｃに接触した場合でも、第２屈曲部１５ｃが受けた外力が内側のフレーム部材１３ｃに直接伝わることを大幅に軽減することができる。
【００６８】
なお、窓部１３ｂについては、上述したように、手摺り３２等の障害物との接触による損傷は考慮する必要がないものとする。
固定穴（固定部）１５ｄは、図１０（ｂ）に示すように、第１屈曲部１５ｂの面に対して垂直に形成された貫通穴であって、固定ネジ２１が挿入される。そして、図６および図８に示すように、固定ネジ２１が、固定穴１５ｄに挿入された状態で、フレーム部材１３ｃの側面に形成されたネジ穴１３ｄに螺合することで、保護カバー１５がフレーム部材１３ｃに対して固定される。
【００６９】
操作ハンドル１６は、上述したように、配膳車１０を移動させる際に使用者によって把持されるハンドル部分であって、図１等に示すように、本体部１１の側面に略水平方向に沿って取り付けられている。なお、操作ハンドル１６が取り付けられる高さは、使用者が配膳車１０を押し引きする際に力を入れやすい９００ｍｍ〜１０００ｍｍの範囲であることが好ましい。
【００７０】
また、操作ハンドル１６は、図３に示すように、高さ方向において、上述した保護カバー１４，１５が取り付けられた範囲Ｒ１の範囲内に取り付けられている。
これにより、使用者からの力が加わる操作ハンドル１６の高さ位置に対応するように、保護カバー１４，１５を配置したことで、操作ハンドル１６が設置された高さ位置において、配膳車１０が手摺り３２等の障害物と接触した場合でも、保護カバー１４，１５によってフレーム部材１３ｃを保護することができる。
【００７１】
本実施形態の配膳車１０では、上述したように、保護カバー１４，１５は、開閉扉１３の側面に固定されているため、固定ネジ２１等の固定具が、手摺り３２等の障害物が接触する部分に露出しない。
これにより、例えば、病院の廊下に設置された手摺り３２等の障害物との衝突時における開閉扉１３のフレーム部材１３ｃにおける変形・破損を効果的に抑制することができる。
【００７２】
また、保護カバー１４，１５は、図３に示すように、高さ方向における略中心位置が、手摺り３２等の障害物と略同じ高さになるように取り付けられている。なお、病院等に設置される手摺り３２の高さ位置は、一般的に、７５０ｍｍ〜８５０ｍｍの範囲と言われている。
そこで、本実施形態の配膳車１０では、保護カバー１４，１５を、手摺り３２の設置高さ（７５０ｍｍ〜８５０ｍｍ）を中心とする位置に取り付けている。
【００７３】
これにより、手摺り３２等の障害物と接触する可能性がある部分を、保護カバー１４，１５を用いて効率的に保護することができる。
また、本実施形態の配膳車１０は、保護カバー１４，１５の鉛直方向（高さ方向）における取付位置を調整するための調整機構２０をさらに備えている。
調整機構２０は、図５および図７に示すように、フレーム部材１３ｃの側面に形成されたネジ穴１３ｄと、保護カバー１４，１５の第１屈曲部１４ｂ，１５ｂに形成された複数の固定穴１４ｄ、１５ｄと、固定ネジ２１とを含むように構成されている。
【００７４】
これにより、フレーム部材１３ｃ側に形成されたネジ穴１３ｄに固定ネジ２１を螺合させる際に、どの固定穴１４ｄ，１５ｄに固定ネジ２１を挿入するかによって、フレーム部材１３ｃに対する保護カバー１４，１５が取り付けられる高さ位置を調整することができる。
この結果、例えば、配膳車１０が病院等に搬入された後、病院等の廊下に設置された手摺り３２の高さ位置を確認した上で、保護カバー１４，１５を適切な高さ位置に取り付けることができる。
【００７５】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、保護カバー１４，１５の高さ方向における取付位置の調整を行う調整機構２０として、保護カバー１４，１５の側面（第１屈曲部１４ｂ，１５ｂ）に形成された複数の固定穴１４ｄ，１５ｄと、フレーム部材１３ｃの側面に形成されたネジ穴１３ｄと、固定ネジ２１とを用いた例を挙げて説明した。しかし、本発明はこれに限定されるものではない。
【００７６】
例えば、図１１に示すように、複数の固定穴１４ｄの代わりに、側面（第１屈曲部１１４ｂ）に調整方向（高さ方向）に沿って形成された長穴（固定部）１１４ｄを有する保護カバー１１４を用いてもよい。
この場合には、平面部１１４ａの端部を略直角に屈曲させた第１屈曲部１１４ｂを備えた保護カバー１１４において、フレーム部材１３ｃのネジ穴１３ｄに固定ネジ２１を螺合させる際に、長穴１１４ｄの方向に沿って保護カバー１１４の位置を調整することができる。
【００７７】
（Ｂ）
上記実施形態では、表面にテフロン（登録商標）加工（滑り加工）が施された保護カバー１４，１５を用いた例を挙げて説明した。しかし、本発明はこれに限定されるものではない。
例えば、図１２（ａ）および図１２（ｂ）に示すように、手摺り等の障害物に接触するおそれがある表面に、弾性体２１４ａ，２１５ａを設けた保護カバー２１４，２１５を用いてもよい。
【００７８】
この場合には、食品搬送車の走行中に手摺り等が接触した場合でも、保護カバー２１４，２１５の表面に設けられた弾性体２１４ａ，２１５ａによって、衝撃を吸収することができる。
この結果、保護カバー２１４，２１５によって覆われたフレーム部材が変形、損傷等してしまうことを効果的に抑制することができる。
【００７９】
（Ｃ）
上記実施形態では、表面にテフロン（登録商標）加工（滑り加工）が施された保護カバー１４，１５を用いた例を挙げて説明した。しかし、本発明はこれに限定されるものではない。
例えば、テフロン（登録商標）加工に限らず、他の滑り加工が施された保護カバーを用いてもよい。
あるいは、滑り加工が施されていない保護カバーを用いてもよい。
【００８０】
（Ｄ）
上記実施形態では、調整機構２０によって、鉛直方向における保護カバー１４，１５の取付位置の調整を行う例を挙げて説明した。しかし、本発明はこれに限定されるものではない。
例えば、調整機構による保護カバーの取付位置の調整方向としては、鉛直方向に限らず、鉛直方向に交差する方向（例えば、水平方向）であってもよい。
【００８１】
（Ｅ）
上記実施形態では、フレーム部材１３ｃにおける鉛直方向に沿って配置された部分の一部が保護カバー１４，１５によって覆われている例を挙げて説明した。しかし、本発明はこれに限定されるものではない。
例えば、保護カバーによって覆われる範囲としては、フレーム部材の鉛直方向の部分に限らず、水平方向に沿って配置された部分を含んでいてもよいし、フレーム部材の一部ではなく全体であってもよい。
【００８２】
（Ｆ）
上記実施形態では、保護カバー１４，１５が、病院の壁面等に設置された手摺り３２の高さ位置に合わせて、開閉扉１３のフレーム部材１３ｃに対して取り付けられている例を挙げて説明した。しかし、本発明はこれに限定されるものではない。
例えば、保護カバーによって保護される障害物との接触は、手摺りに限らず、食品搬送車が走行する施設に設置された設備等であってもよい。
【００８３】
（Ｇ）
上記実施形態では、フレーム部材１３ｃを保護するために取り付けられる保護カバー１４，１５について、高さ方向における寸法が同じものを用いた例を挙げて説明した。しかし、本発明はこれに限定されるものではない。
例えば、取り付け相手となるフレーム部材の形状等に応じて、高さ方向における寸法が異なる２つの保護カバーを取り付けてもよい。
【００８４】
（Ｈ）
上記実施形態では、フレーム部材１３ｃを保護するために取り付けられる保護カバー１４，１５について、水平方向（幅方向）における寸法が異なるものを用いた例を挙げて説明した。しかし、本発明はこれに限定されるものではない。
例えば、取り付け相手となるフレーム部材の形状が左右対称の場合には、水平方向（幅方向）における寸法が同じ保護カバーをそれぞれ取り付けてもよい。
【００８５】
（Ｉ）
上記実施形態では、左右一対の開閉扉１３を含む２組の開閉扉１３が図３に示す正面とその背面に設けられた配膳車１０を例として挙げて説明した。しかし、本発明はこれに限定されるものではない。
例えば、１つの面に１組の開閉扉１３が設けられた構成であってもよい。あるいは、１つの面に３組以上の開閉扉が設けられた構成であってもよい。
【００８６】
（Ｊ）
上記実施形態では、開閉扉１３が鉛直方向に沿って配置された回転軸１３ａを中心に回転して開閉される例を挙げて説明した。しかし、本発明はこれに限定されるものではない。
例えば、開閉扉の回転方向としては、鉛直方向に沿って配置された回転軸を中心にして回転する方式に限らず、鉛直方向に交差する方向（例えば、水平方向）に沿って配置された回転軸を中心にして回転する方式を採用してもよい。
また、開閉扉の開閉方式は、回転方式ではなく、スライド方式を採用してもよい。
【００８７】
（Ｋ）
上記実施形態では、開閉扉１３の窓部１３ｂが、耐衝撃性を備えたポリカーボネート等の樹脂によって形成されている例を挙げて説明した。しかし、本発明はこれに限定されるものではない。
例えば、ガラスや、他の樹脂素材等によって窓部を形成してもよい。
なお、耐衝撃性を備えた樹脂以外の素材によって窓部を構成する場合には、手摺り等の障害物との接触時における損傷を考慮して、耐衝撃性を備えた素材、あるいは耐衝撃性の表面処理が施された素材を用いることが好ましい。
【００８８】
（Ｌ）
上記実施形態では、本発明の食品搬送車を配膳車１０に適用した例を挙げて説明した。しかし、本発明はこれに限定されるものではない。
【００８９】
例えば、本発明は、内部に収納された食品の保温機能を有する配膳車に限らず、保温機能を有しない配膳車に適用してもよい。あるいは、調理された食品（食材も含む）を一旦冷蔵保存しておき食事前に食品を安全温度まで加熱してから搬送する再加熱カート等の他の食品搬送車に対して、本発明を適用してもよい。
【産業上の利用可能性】
【００９０】
本発明の食品搬送車は、廊下等に設置された障害物との衝突時における開閉扉の変形・破損を効果的に抑制することができるという効果を奏することから、食品を搬送する車両に対して広く適用可能である。
【符号の説明】
【００９１】
１０      配膳車（食品搬送車）
１１      本体部
１１ａ    内部空間
１２      走行輪
１３      開閉扉
１３ａ    回転軸
１３ｂ    窓部
１３ｃ    フレーム部材
１３ｄ    ネジ穴
１３ｅ    凹部
１３ｆ    金具
１４      保護カバー
１４ａ    平面部
１４ｂ    第１屈曲部（固定部）
１４ｃ    第２屈曲部
１４ｄ    固定穴（固定部）
１５      保護カバー
１５ａ    平面部
１５ｂ    第１屈曲部（固定部）
１５ｃ    第２屈曲部
１５ｄ    固定穴（固定部）
１６      操作ハンドル
２０      調整機構
２１      固定ネジ（固定具）
３０      壁面
３１      搬送面
３２      手摺り
１１４    保護カバー
１１４ａ  平面部
１１４ｂ  第１屈曲部
１１４ｄ  長穴（固定部）
１２０    調整機構
２１４    保護カバー
２１４ａ  弾性体
２１５    保護カバー
２１５ａ  弾性体
Ｐ１      全閉位置
Ｐ２      全開位置
Ｓ１，Ｓ２  隙間
【図１】
2018050870.tif 000003
【図２】
2018050870.tif 000004
【図３】
2018050870.tif 000005
【図４】
2018050870.tif 000006
【図５】
2018050870.tif 000007
【図６】
2018050870.tif 000008
【図７】
2018050870.tif 000009
【図８】
2018050870.tif 000010
【図９】
2018050870.tif 000011
【図１０】
2018050870.tif 000012
【図１１】
2018050870.tif 000013
【図１２】
2018050870.tif 000014